(57)【要約】      （修正有）【課題】剥がした跡が残らず、貼り付け場所を選ばない掲示部材を提供する。【解決手段】固定手段４によって掲示位置に固定されると共に、保持手段３によって掲示物２を保持する掲示部材であって、前記固定手段４はシート材５と弾性を有する発泡樹脂層６を一体形成して成り、前記固定手段４の掲示物反対面は前記発泡樹脂層６の気泡６１を表出させることにより多数の微小吸盤６０を形成したものである。【選択図】図３
2009047928.tif 000002
【特許請求の範囲】
【請求項１】
固定手段によって掲示位置に固定されると共に、保持手段によって掲示物を保持する掲示部材であって、前記固定手段はシート材と弾性を有する発泡樹脂層を一体形成して成り、前記固定手段の掲示物反対面は前記発泡樹脂層の気泡を表出させることにより多数の微小吸盤を形成したものであることを特徴とする掲示部材。
【請求項２】
保持手段が、掲示物の外側周囲を保持することを特徴とする請求項１記載の掲示部材。
【請求項３】
掲示物の少なくとも一部を見ることが出来る様態であって、保持手段が、透明もしくは半透明のシートであることを特徴とする請求項１記載の掲示部材。
【請求項４】
少なくとも二枚のシートからなる収納体を用いた掲示部材であって、前記収納体の一枚のシートは保持手段となり、もう一枚のシートはシート材となり、前記シート材の掲示物反対面に発泡樹脂層を設けたことを特徴とする、請求項１乃至３のいずれかに記載の掲示部材。
【発明の詳細な説明】
【技術分野】
【０００１】
この発明は、壁や天井や小物等の掲示位置に貼着固定し、写真や絵等の掲示物を掲示する掲示部材に関するものである。
【背景技術】
【０００２】
従来、写真は専門家が撮影し、額縁に入れられ、部屋の一角に大きく飾られることが一般的であった。
【０００３】
現在においては、使い捨てカメラやデジタルカメラが普及し、気軽に撮影したスナップ写真を画鋲やテープなどで好きな所（壁・天井に限らず、小物等の面を含む）に掲示することが多くなっている。
【０００４】
そして、写真本体を画鋲やテープで傷めないよう、写真を収納し、壁や小物等の掲示位置（使用者が掲示したいと思う位置）に固定させる、掲示部材（例えば特許文献１）が考え出されている。
【０００５】
しかしながら、接着剤・粘着材を使用した掲示部材は、貼着した後、剥がすと接着剤・粘着材の跡が掲示位置に残るという問題があった。この問題を解消させるため、塩化ビニルなどの平滑（ツヤ）を利用して貼着する掲示部材もあるが、貼着される側も平滑（ツヤ）を有していない場合は、剥がれてしまう為、貼着場所を選ぶ必要がある（掲示したい位置を諦めなければならない場合がある）という問題があった。
【特許文献１】特開平１１−３２７４７７
【発明の開示】
【発明が解決しようとする課題】
【０００６】
そこで、この発明は、剥がした跡が残らず、貼着場所を選ぶ必要が無い掲示部材を提供することを課題とする。
【課題を解決するための手段】
【０００７】
（請求項１記載の発明）
この掲示部材は、固定手段によって掲示位置に固定されると共に、保持手段によって掲示物を保持する掲示部材であって、前記固定手段はシート材と弾性を有する発泡樹脂層を一体形成して成り、前記固定手段の掲示物反対面は前記発泡樹脂層の気泡を表出させることにより多数の微小吸盤を形成したものであることを特徴とする。
【０００８】
（請求項２記載の発明）
この掲示部材は、請求項１記載の発明に関し、保持手段が、掲示物の外側周囲を保持することを特徴とする。
【０００９】
（請求項３記載の発明）
この掲示部材は、請求項１記載の発明に関し、掲示物の少なくとも一部を見ることが出来る様態であって、保持手段が、透明もしくは半透明のシートであることを特徴とする。
【００１０】
（請求項４記載の発明）
この掲示部材は、請求項１乃至３のいずれかに記載の発明に関し、少なくとも二枚のシートからなる収納体を用いた掲示部材であって、前記収納体の一枚のシートは保持手段となり、もう一枚のシートはシート材となり、前記シート材の掲示物反対面に発泡樹脂層を設けたことを特徴とする。
【発明の効果】
【００１１】
この発明は、剥がした跡が残らず、貼着場所を選ぶ必要が無い掲示部材である。
【００１２】
したがって、使用者は、掲示したいと思う位置に掲示物を掲示することができると共に、剥がした跡が残ることを心配する必要がない。
【発明を実施するための最良の形態】
【００１３】
以下に、この発明の模様付き素材の本発明の最良の形態を、各図と共に説明する。
【実施例１】
【００１４】
図１はこの発明の実施例１の全体正面図である。図２はこの発明の使用前の断面図である。図３はこの発明の使用中の断面図である。
（この発明の基本的構成について）
この掲示部材１は、掲示物２を保持手段３で保持し、背面の固定手段４によって、壁面や天井等の掲示位置に固定される。掲示部材１には、プリント及び、モアレ模様、及び、凸型成形、又はこれらの組み合わせからなる装飾１０を行うことができる。図１の掲示部材１は、プリント装飾１０を施した掲示部材１である。
【００１５】
掲示物２には写真、絵、ハガキ、文章等、シート状（紙状）のものであれば何を掲示しても良い。掲示物２に対応させて、掲示部材１の寸法・形状は自由に設定できるものである。例えば、長方形・正方形等の多角形、ハート型、円・楕円形等が挙げられる。図１の掲示部材１は、長方形のものとした。
【００１６】
保持手段３は、掲示物２を固定手段４上に保持できれば何でも良い。例えば、図１に示すように、保持手段３と固定手段４を長方形状の二枚のシートとし、前記長方形の三辺を溶着又は接着させることによって、入口２０を形成した袋状の掲示部材１とすることができる。
【００１７】
掲示部材１は、入口２０から掲示物２を収納し、保持することができる。掲示物２を収納した掲示部材１は、固定手段４によって掲示位置に貼着させることができる。固定手段４は、家屋等に存在する面（壁、柱、建具等の面及び曲面）や、小物に存在する面（手帳、鞄、バインダーファイル、ノート等の面及び曲面）などに貼着させることが出来る。掲示部材１の使用者は、前記面及び曲面の掲示したいと考える位置（掲示位置）に貼着を行う。
【００１８】
保持手段３は、透明や半透明の長方形状シートであればよい。また、保持手段３が不透明なものであったとしても、掲示物２を確認できる程度に開口部３０（透明部３０）を設けてもよい。
【００１９】
これによって、掲示部材１の使用者は、貼り付け場所や剥がした跡を気にかけることなく、好きな所に掲示物２を掲示し、鑑賞することができる。
（この固定手段４及び剥離シート７について）
この固定手段４は、図２や図３に示すように、弾性樹脂により形成されたシート材５の片面側に、弾性を有する発泡樹脂層６を一体形成して成り、前記発泡樹脂層６におけるシート材５との反対側面に気泡６１を表出させることにより、多数の微小吸盤６０として機能させている。なお、使用前の固定手段４は、前記発泡樹脂層６における気泡表出面に剥離シート７が取り外し自在に設けられている。
（この固定手段４及び剥離シート７の具体的構成について）
シート材５は、弾性を有する合成樹脂、例えば、ポリエステル、ポリ塩化ビニル、ポリエチレン、ポリプロピレン、ナイロン、ウレタン、アクリル等から選ばれた樹脂により構成されるシートの厚み（４〜４００μｍ、好ましくは３０〜２００μｍ）、不織布や織布の目付（５０〜５００ｇ／ｍ２、好ましくは７０〜３００ｇ／ｍ２）に設定してある。つまり、シート材５の厚みは折り曲げやすく且つ掲示物２の角による引っ掻き傷に対する強度を有しているように設定してあればよい。
【００２０】
また、このシート材５は、無色であっても、色付けされていても、図柄等が入っていてもよい。さらに、他の層を設けてもよい。
【００２１】
発泡樹脂層６は、ポリエステル、ポリ塩化ビニル、ポリエチレン、ポリプロピレン、ナイロン、ウレタン、アクリル等の樹脂エマルジョンに気泡を機械的に混入し、これを上記したシート材１に塗布し、硬化・養生して形成されている。ここで、この発泡樹脂層６の厚みは、１０〜３００μｍ（好ましくは５０〜１５０μｍ）程度に設定してある。また、この発泡樹脂層６におけるシート材５との反対側面には上述した如く気泡６１を表出させることにより多数の微小吸盤６０としてあるが、この発泡樹脂層６には、表面だけでなく内部にも空気が閉じ込められた気泡６１が多数存在している。したがって、この発泡樹脂層６には空気圧縮に伴うある程度のクッション性が付与されている。
【００２２】
剥離シート７は、一般的に使用されている公知のものが使用されており、固定手段４から簡単に剥がれるようにしてある。
（固定手段４に接着剤・粘着材を使用していないことについて）
例えば特開平１１−３２７４７７の掲示部材の固定手段では、接着剤・粘着剤の接着力・粘着力が強力である場合、掲示部材を剥がした部位に粘着痕が残存したり、掲示位置の壁紙等が剥がれたりしてしまう。
【００２３】
これに対して、固定手段４を有する掲示部材１では、問題の原因となる接着剤・粘着剤は使用されていない。接着剤・粘着剤に変えて、発泡樹脂層６にクッション性を付与すると共に、発泡樹脂層６に気泡６１を表出させて多数の微小吸盤６０を形成している。
【００２４】
したがって、剥離シート７を外し、固定手段４を壁面・小物の面等に押し付けると、微小吸盤６０内の空気が押し出されて負圧となり、微小吸盤６０の吸盤機能が発揮されて壁面や小物の面に貼着し、掲示部材１は掲示位置に固定される。
【００２５】
次に、掲示部材１を壁面等から取り去る場合には、壁面や小物の面から引き離すべく力を加えるだけでよく、この作業により微小吸盤６０内に空気が侵入して、貼りつく機能を発揮しなくなることにより、固定が解除され、掲示部材１は簡単に掲示位置から剥がれる。
【００２６】
したがって、掲示部材１を掲示位置から取り去るに際して、固定手段４を剥がした部位に粘着痕が残存したり、壁紙等が剥がれたりすることはあり得ない。
（固定手段４が平滑性（ツヤ）を利用した固定ではないことについて）
また、高密度なポリ塩化ビニルなどの平滑（ツヤ）を利用して貼り付ける従来の固定手段では、凹凸のある部分には貼着できないという問題や、一旦貼着できたとしても不用意に剥がれてしまうという問題があった。
【００２７】
これに対して、この実施例の固定手段４では、上述した如く多数の微小吸盤６０よる貼着機能を有するものとしている。したがって、この実施例の固定手段４では、凹凸のある部分（複雑な形状部分）を有する掲示位置（壁面・小物の面等）であっても確実に貼着でき、また不用意に剥がれてしまうようなことはない。
【実施例２】
【００２８】
次に、実施例１との相違点を中心に、実施例２について説明する。
【００２９】
図４はこの発明の実施例２の全体正面図である。
【００３０】
掲示部材１は実施例１記載のような、袋状のみではなく、図４に示すように、保持手段３を貼付カバーとするものがある。このような態様であると、保持手段３を固定手段４に貼りつけ、掲示物２を保持することができる。固定手段４と保持手段３の貼り付けは、接着剤を塗布した微粘着（一般的な写真アルバムに用いられている手法）であってもよいし、保持手段３と固定手段４の双方の平滑による自粘着であってもよい。
【００３１】
保持手段３は、図４に示すように透明又は半透明なシートを用いて、掲示物２の全体を覆うものであってもよいし、掲示物２の外側周囲のみを保持するものであってもよい。掲示物２の少なくとも一部を見ることが出来る様態であってもよい。その他、掲示物２の四隅をクリップで止める等、保持手段３とは、固定手段４に掲示物２を固定できるものであれば何でも良いものである。
【００３２】
また、図４の装飾１０は、保持手段３のシートにモアレ模様を設け、掲示物２の周囲の光が乱反射する様態となっている。装飾１０は、実施例１記載のような印刷物であってもよいし、モアレ模様（例えば、特開２０００−３７９９５）であってもよいし、凸成形を用いた立体装飾（例えば、特開平９−３００５３６）であってもよい。掲示物２の周囲等に装飾１０を設けると、高級感のある、掲示部材１となる。
【００３３】
この実施例２の掲示部材１の貼着において、固定手段４の構成・作用・効果については実施例１と同様である
【実施例３】
【００３４】
次に、実施例１及び実施例２との相違点を中心に、実施例３について説明する。
【００３５】
この発明は、実施例１及び実施例２記載の発明のような、固定手段４と保持手段３に分けることができるものに限るものではない。
【００３６】
二枚のシートからなる収納体（例えば、クリアファイル等）に掲示物２を収納し、掲示物２は収納体内でも掲示内容を確認できる態様で収納されており、収納体の二枚のシートのうち、一枚のシートは保持手段３として機能させ、もう一枚のシートはシート材５として機能させ、シート材５の掲示物反対面側（掲示物２の内容を確認できない面側）に発泡樹脂層６を設けてもよい。
【００３７】
例えば、掲示物２を確認可能な収納体（２枚からなる透明・半透明の長方形状のシートで掲示物２の表裏を挟み、長方形の少なくとも下側辺が溶着されたもの。例えば、クリアファイル。）を用いた場合、図３に示すように、掲示物２の表側のシートは保持手段３となり、掲示物裏側のシートはシート材５となる。そして、シート材５となるシートの掲示物２反対面に発泡樹脂層６を設けると、収納体を掲示部材１とすることができる。
【００３８】
この実施例３の掲示部材１の貼着においても、固定手段４（発泡樹脂層６を設けたシート材５）の構成・作用・効果については実施例１、２と同様である。
【図面の簡単な説明】
【００３９】
【図１】この発明の実施例１の全体正面図である。
【図２】この発明の使用前の断面図である。
【図３】この発明の使用中の断面図である
【図４】この発明の実施例２の全体正面図である。
【符号の説明】
【００４０】
１    掲示部材
２    掲示物
３    保持手段
４    固定手段
５    シート材
６    発泡樹脂層
６０  微小吸盤
６１  気泡
７    剥離シート
【図１】
2009047928.tif 000003
【図２】
2009047928.tif 000004
【図３】
2009047928.tif 000005
【図４】
2009047928.tif 000006